(57)【要約】【課題】正常に再生できないと判断された領域を全てスキップすることなく、また、正常に再生できない領域でリトライ処理に費やす時間を抑制する。【解決手段】再生信号を参照して再生部４で情報の再生が正常に行われたか否かを判定する再生可否判定を行う再生信号処理部５と、再生信号処理部５で情報の再生が正常に行われなかったと判定されたアドレスが、不揮発メモリ１０に記録されたアドレス区間に含まれていた場合に、当該アドレス区間での再生信号処理部５の再生可否判定時間を短縮するシステム制御部２を備える。【選択図】図１
2014137835.tif 000002
【特許請求の範囲】
【請求項１】
ディスクの再生を制御するディスク制御部と、前記ディスク制御部の制御に従って前記ディスクにおいて指定されたアドレスに記録された情報を再生し、再生信号を生成する再生部と、前記再生部が生成した再生信号から出力信号を生成する再生信号処理部と、前記再生信号処理部が生成した出力信号を復号して出力する出力部と、前記再生部で前記情報の再生が連続して正常に行われなかったアドレス区間を記録するメモリ部と、前記ディスク制御部を制御するシステム制御部とを備えたディスク再生装置において、
前記再生信号処理部は、前記再生信号を参照して前記再生部で前記情報の再生が正常に行われたか否かを判定する再生可否判定を行い、
前記システム制御部は、前記再生信号処理部で前記情報の再生が正常に行われなかったと判定されたアドレスが、前記メモリ部に記録されたアドレス区間に含まれていた場合に、当該アドレス区間での前記再生信号処理部の再生可否判定時間を短縮することを特徴とするディスク再生装置。
【請求項２】
前記システム制御部は、前記再生信号処理部で前記情報の再生が正常に行われなかったと判定されたアドレスが、前記メモリ部に記録されたアドレス区間に含まれていた場合に、当該アドレス区間において前記再生部の再生位置を所定間隔でスキップさせるためのアドレス幅を広げることを特徴とする請求項１記載のディスク再生装置。
【請求項３】
前記再生信号処理部は、前記再生信号を参照し、前記情報の再生が所定の再試行回数以内に行われた場合には、前記再生部で前記情報の再生が正常に行われたと判定し、前記情報の再生が所定の再試行回数以内に行われなかった場合には、前記再生部で前記情報の再生が正常に行われなかったと判定し、
前記システム制御部は、前記再生信号処理部で前記情報の再生が正常に行われなかったと判定されたアドレスが、前記メモリ部に記録されたアドレス区間に含まれていた場合に、当該アドレス区間の前記再試行回数を低減することを特徴とする請求項２記載のディスク再生装置。
【請求項４】
前記再生信号処理部は、前記再生信号を参照し、前記情報の再生が所定の再試行時間内に行われた場合には、前記再生部で前記情報の再生が正常に行われたと判定し、前記情報の再生が所定の再試行時間内に行われなかった場合には、前記再生部で前記情報の再生が正常に行われなかったと判定し、
前記システム制御部は、前記再生信号処理部で前記情報の再生が正常に行われなかったと判定されたアドレスが、前記メモリ部に記録されたアドレス区間に含まれていた場合に、当該アドレス区間の前記再試行時間を短縮することを特徴とする請求項２記載のディスク再生装置。
【請求項５】
前記再生信号処理部が生成した出力信号を蓄積するバッファメモリを備え、
前記システム制御部は、前記再生信号処理部で前記情報の再生が正常に行われなかったと判定されたアドレスが、前記メモリ部に記録されたアドレス区間に含まれていた場合に、前記バッファメモリの前記出力信号の蓄積残量に基づいて、前記再生部が次回再生するアドレスを設定することを特徴とする請求項１記載のディスク再生装置。
【請求項６】
ディスク制御部がディスクの再生を制御するステップと、再生部が前記ディスクの再生制御に従って前記ディスクにおいて指定されたアドレスに記録された情報を再生し、再生信号を生成するステップと、再生信号処理部が前記再生信号から出力信号を生成するステップと、出力部が前記出力信号を復号して出力するステップと、メモリ部が前記情報の再生を連続して正常に行わなかったアドレス区間を記録するステップと、システム制御部が前記ディスク制御部を制御するステップとを備えたディスク再生方法において、
前記再生信号処理部が、前記再生信号を参照して前記再生部で前記情報の再生が正常に行われたか否かを判定する再生可否判定を行うステップと、
前記システム制御部が、前記情報の再生が正常に行われなかったと判定されたアドレスが、前記アドレス区間に含まれていた場合に、当該アドレス区間での再生可否判定時間を短縮するステップとを備えたことを特徴とするディスク再生方法。
【発明の詳細な説明】
【技術分野】
【０００１】
この発明は、ディスクに記録された情報を再生するディスク再生装置およびディスク再生方法に関し、特にディスクに欠陥（傷、汚れなど）が存在する場合の再生に関するものである。
【背景技術】
【０００２】
映像や音楽の再生に用いられるＣＤやＤＶＤなどのディスクでは再生情報が連続したアドレスに記録されており、ディスクを再生する際には再生するアドレスを順に指定して再生を行う。ディスクに欠陥（傷、汚れなど）が存在し、指定したアドレスにおいて情報の再生が行えない場合には当該アドレスにおいて一定回数再生をリトライし、リトライによっても再生できない場合には、当該アドレスに記録された情報は再生不可であると判断して次のアドレスにスキップする。例えば、音楽の再生に用いられるＣＤである場合、１秒先に相当するアドレスにスキップする。
【０００３】
なお、連続した領域に欠陥が存在する場合には、指定したアドレスに記録された情報が再生不可であると判断して次のアドレスにスキップし、さらにスキップしたアドレスに記録された情報も再生不可であると判断して次のアドレスにスキップするというように、再生できる領域に達するまで再生情報が再生されない状態でスキップ動作を繰り返すこととなる。再生情報が再生されない状態でスキップ動作を繰り返している間は、音声信号や映像信号の出力が停止しているため、ユーザにとって好ましくない状態となるという問題があった。
【０００４】
この問題を解決するものとして、特許文献１には、ディスクから音声信号や映像信号を再生する際に、連続して正常に再生できない領域をあらかじめ不揮発メモリに記憶しておき、同一のディスクを２回目以降に再生する際に、不揮発メモリに記録された正常に再生できない領域に到達すると、当該領域全体をスキップさせて音声信号や映像信号の出力が長時間停止するのを回避する再生装置が開示されている。
【先行技術文献】
【特許文献】
【０００５】
【特許文献１】特開２００１−２７３７３０号公報
【発明の概要】
【発明が解決しようとする課題】
【０００６】
しかしながら、上述した特許文献１に開示された技術では、連続して正常に再生できない領域であると判断されてしまうと、当該領域を二度と再生することができなくなってしまうという課題があった。例えば、ディスクの汚れが原因となって正常に再生できない場合には、ユーザが当該汚れを拭き取れば再生可能な領域となるが、正常に再生できない領域であると不揮発メモリに一旦記録されてしまうと、当該領域について二度と再生処理が行われることがないため、再生可能な領域として取り扱えなくなるという課題があった。
【０００７】
この発明は、上記のような課題を解決するためになされたもので、正常に再生できないと判断された領域を全てスキップすることなく、また、正常に再生できない領域において再生情報が再生されない状態でスキップ動作を繰り返すリトライ処理に費やす時間を抑制することを目的とする。
【課題を解決するための手段】
【０００８】
この発明に係るディスク再生装置は、再生信号を参照して再生部で情報の再生が正常に行われたか否かを判定する再生可否判定を行う再生信号処理部と、再生信号処理部で情報の再生が正常に行われなかったと判定されたアドレスが、メモリ部に記録されたアドレス区間に含まれていた場合に、当該アドレス区間での再生信号処理部の再生可否判定時間を短縮するシステム制御部を備えるものである。
【発明の効果】
【０００９】
この発明によれば、正常に再生できない領域におけるリトライ処理を短時間で終了することができ、さらにディスクの欠陥が回復している場合には当該回復した領域において再生処理を実行することができる。
【図面の簡単な説明】
【００１０】
【図１】実施の形態１によるディスク再生装置の構成を示すブロック図である。
【図２】実施の形態１によるディスク再生装置の動作を示すフローチャートである。
【図３】実施の形態２によるディスク再生装置の動作を示すフローチャートである。
【図４】実施の形態３によるディスク再生装置の構成を示すブロック図である。
【図５】実施の形態３によるディスク再生装置の動作を示すフローチャートである。
【発明を実施するための形態】
【００１１】
実施の形態１．
図１は、この発明の実施の形態１によるディスク再生装置の構成を示すブロック図である。
ディスク再生装置１００は、入力部１、システム制御部２、ディスク制御部３、再生部４、再生信号処理部５、音声信号処理部６、映像信号処理部７、音声信号出力部８、映像信号出力部９および不揮発メモリ１０で構成されている。
【００１２】
入力部１は、例えばリモコンやタッチパネルなどで構成され、リモコン操作やタッチパネル操作などのユーザ操作を受け付ける。システム制御部２は、入力部１を介して入力された再生開始指示あるいは再生停止指示などのユーザ操作に基づいて、ディスクの再生を制御する制御信号を出力する。なお、ディスクを再生した際に、音声／映像情報が正常に再生できなかった場合の処理については後述する。ディスク制御部３は、システム制御部２から入力される制御信号に基づいて、再生部４の動作を制御する。例えば、システム制御部２から再生制御信号が入力された場合には、ディスクの回転速度を制御する信号、およびディスクに対する再生ヘッドのトラッキングを制御する信号を出力する。また、システム制御部２から再生停止制御信号が入力された場合には、ディスクの回転停止の制御する信号、およびディスクに対する再生ヘッドの停止位置への移動を制御する信号を出力する。
【００１３】
再生部４は、ディスク制御部３から入力された制御信号に基づいて、ディスクの再生処理を実行し、再生信号を生成する。再生信号処理部５は、再生部４から入力された再生信号のうち、音声信号を音声信号処理部６に出力し、映像信号を映像信号処理部７に出力する。また再生信号処理部５は、再生部４から入力された再生信号を参照し、ディスクの再生が正常に行われたか否か判定を行う。
【００１４】
音声信号処理部６、映像信号処理部７、音声信号出力部８および映像信号出力部９は、出力部としての機能を有している。まず、音声信号処理部６は音声信号をデコードし、映像信号処理部７は映像信号をデコードする。音声信号出力部８は、例えばスピーカなどで構成され、デコードされた音声信号を出力する。映像信号出力部９は、例えばディスプレイなどで構成され、デコードされた映像信号を出力する。不揮発メモリ１０は、ディスクの再生が正常に行われなかったと判定された場合に、システム制御部２を介して、ディスクＩＤと、連続して正常に再生できなかった領域の最初のアドレスと最後のアドレスを記録する記録領域である。
【００１５】
この実施の形態１のディスク再生装置１００の全体構成の概略は以上の通りであるが、次に、システム制御部２が行う処理の詳細について説明する。
上述のように、再生信号処理部５は再生部４から入力された再生信号を参照し、ディスクの再生が正常に行われたか否か判定を行い、システム制御部２は再生信号処理部５から入力される判定結果に基づいて、以下に示す２つの処理を行う。
【００１６】
（１）初回のディスク再生時
まずシステム制御部２は、再生信号処理部５から入力されたディスクＩＤを参照し、当該ディスクの再生が初めてであると判断する。さらにシステム制御部２は、再生信号処理部５から入力される判定結果を参照し、音声／映像情報が正常に再生できないと判定され、且つその正常に再生できない状態があらかじめ設定した一定以上の連続したアドレスで継続している場合に、正常に再生できなかった最初のアドレスを取得する。その後、さらに再生信号処理部５から入力される判定結果を参照し、正常に再生できると判定される状態に移行した場合に、その直前のアドレスを正常に再生できなかった区間の最後のアドレスとして取得する。その後、再生信号処理部５から入力されるディスクＩＤと、正常に再生できなかった区間の最初のアドレスおよび最後のアドレスとを再生不可情報（アドレス情報）として不揮発メモリ１０に記録する。
【００１７】
（２）２回目以降のディスク再生時
システム制御部２は、再生信号処理部５から入力されたディスクＩＤを参照し、当該ディスクの再生が２回目以降であると判断する。さらにシステム制御部２は、再生信号処理部５から入力される判定結果を参照し、音声／映像情報が正常に再生できないと判定された場合に、再生中のディスクのディスクＩＤと同一のディスクＩＤの再生不可情報に、正常に再生できない現在のアドレスが含まれているか検索を行う。再生不可情報に正常に再生できない現在のアドレスが含まれていた場合には、再生不可情報に記録された音声／映像情報が正常に再生できなかった区間において、再生信号処理部５が音声／映像情報が正常に再生できたかを判定する時間（以下、再生可否判定時間と称する）を短縮する。
【００１８】
この実施の形態１では、当該区間の再生可否判定時間を短縮する具体的な構成として、連続したアドレスでの再生ではなく、再生位置をあらかじめ設定したアドレス幅でスキップさせた再生を設定し、制御部３に通知する。この２回目以降のディスク再生時の場合のディスク再生装置１００の具体的な動作について、図２を参照しながら説明する。
【００１９】
図２は、実施の形態１によるディスク再生装置の動作を示すフローチャートであり、再生するディスクが２回目以降の再生である場合の動作を示している。
入力部１に再生開始指示が入力されると（ステップＳＴ１）、システム制御部２は再生信号処理部５を介して再生対象のディスクのディスクＩＤを取得して保持する（ステップＳＴ２）。さらにシステム制御部２は、再生を開始する際の再生アドレスを設定する（ステップＳＴ３）。再生開始時の再生アドレスは、通常ディスクの先頭のアドレス、あるいは前回再生を停止した位置に続くアドレスが設定される。
【００２０】
ディスク制御部３は、再生部４を介して、ステップＳＴ３で設定された再生アドレスでの再生を実行する（ステップＳＴ４）。再生信号処理部５は、再生部４から入力される再生信号を参照し、あらかじめ設定されたリトライ回数以内に再生アドレスでの再生が行われたか否か判定を行う（ステップＳＴ５）。あらかじめ設定されたリトライ回数以内に再生アドレスでの再生が行われた場合（ステップＳＴ５；ＹＥＳ）、再生信号処理部５は正常に音声／映像情報の再生できていると判定し、システム制御部２が当該判定結果に応じて次の再生アドレスを設定する（ステップＳＴ６）。ステップＳＴ６の次の再生アドレスの設定は、現在設定されている再生アドレスに再生したデータ量を加算して、連続したデータを再生可能に行う。
【００２１】
システム制御部２は、再生終了指示が入力されたか否かに基づいて、再生継続中であるか否か判定を行う（ステップＳＴ７）。再生継続中である場合（ステップＳＴ７；ＹＥＳ）、ステップＳＴ４の処理に戻り、上述した処理を繰り返す。一方、再生継続中でない場合（ステップＳＴ７；ＮＯ）、ステップＳＴ１１の処理に進む。
【００２２】
一方、あらかじめ設定されたリトライ回数以内に再生アドレスでの再生ができなかった場合（ステップＳＴ５；ＮＯ）、再生信号処理部５は正常に音声／映像情報の再生できないと判定し、システム制御部２が当該判定結果に応じて不揮発メモリ１０を参照し、ステップＳＴ２で取得したディスクＩＤと同一のディスクＩＤで、現在再生中の再生アドレスが再生不可情報に含まれているか否か判定を行う（ステップＳＴ８）。現在再生中の再生アドレスが再生不可情報に含まれていない場合（ステップＳＴ８；ＮＯ）、当該正常に音声／映像情報の再生ができなかった再生アドレスを保持し（ステップＳＴ９）、ステップＳＴ６の処理に進む。
【００２３】
一方、現在再生中の再生アドレスが再生不可情報に含まれている場合（ステップＳＴ８；ＹＥＳ）、システム制御部２はあらかじめ設定したアドレス幅だけスキップして次の再生アドレスを設定し（ステップＳＴ１０）、ステップＳＴ７の処理に進む。ステップＳＴ１０では、例えば通常再生時に再生時間１秒分のデータを再生している場合には、再生時間１０秒分のデータをスキップした先のアドレスを再生アドレスとして設定する。
【００２４】
次に、再生継続中でない場合（ステップＳＴ７；ＮＯ）、システム制御部２は保持している正常に音声／映像情報の再生ができなかった再生アドレスを参照し、ディスクの再生を開始してから終了するまでの間に、一定以上の連続した再生アドレスにおいて再生を失敗したか否か判定を行う（ステップＳＴ１１）。一定以上の連続した再生アドレスにおいて再生を失敗していない場合（ステップＳＴ１１；ＮＯ）、ステップＳＴ１３の処理に進む。一方、一定以上の連続した再生アドレスにおいて再生を失敗した場合（ステップＳＴ１１；ＹＥＳ）、システム制御部２はディスクＩＤと、再生に失敗した区間の最初のアドレスと最後のアドレスとを再生不可情報として不揮発メモリ１０に記録する（ステップＳＴ１２）。その後ディスク制御部３は、再生部４を介してディスクの再生を終了する。（ステップＳＴ１３）
【００２５】
以上のように、この実施の形態１によれば、システム制御部２が、初回のディスク再生において連続した領域で正常に音声／映像情報が再生できなかった区間の最初のアドレスおよび最後のアドレスを再生不可情報として不揮発メモリ１０に記録し、２回目以降のディスク再生において再生不可情報に示された区間において再生ができない場合には、あらかじめ設定したアドレス幅、すなわち通常再生時の再生間隔よりも大きな再生間隔で次の再生アドレスを再生するように構成したので、正常に再生できない区間から短時間で抜け出して、再生可能な領域に達する再生制御を行うことができる。
【００２６】
また、システム制御部２が、１回目のディスク再生において正常に音声／映像情報が再生できないと判断した区間であっても、２回目以降のディスク再生において当該全ての区間をスキップすることなく、当該区間を部分的に再生するように構成したので、ディスクの汚れが拭き取られるなどして良好な状態に復活していた場合に、当該良好な状態に復活した領域を検出して再生することができる。これにより、ディスクが良好な状態に復活しているにも関わらず、２回目以降のディスク再生において再生のためのアクセスができないという事態を回避することができる。
【００２７】
実施の形態２．
再生不可情報に記録された正常に音声／映像情報が再生できなかった区間の再生可否判定時間を短縮する具体的な構成として、この実施の形態２では、上述した実施の形態１の構成に加えて、音声／映像情報が正常に再生できないアドレスが再生不可情報として不揮発メモリ１０に記録された区間に含まれている場合に、当該区間の再生におけるリトライ回数（再試行回数）を少ない回数に設定する構成を示す。なお、実施の形態２のディスク再生装置１００の構成は、図１で示した実施の形態１のディスク再生装置１００の構成要素と同一であるため、記載および説明を省略する。
【００２８】
図３は、実施の形態２によるディスク再生装置の動作を示すフローチャートである。なお、以下では実施の形態１に係るディスク再生装置１００と同一のステップには図２で使用した符号と同一の符号を付し、説明を省略または簡略化する。
まず、ステップＳＴ５において、あらかじめ設定されたリトライ回数以内に再生アドレスでの再生が行われた場合（ステップＳＴ５；ＹＥＳ）について説明する。システム制御部２は、ステップＳＴ５で用いるリトライ回数を通常再生時のリトライ回数に設定し（ステップＳＴ２１）、次の再生アドレスの設定を行う（ステップＳＴ６）。その後、上述したステップＳＴ７の処理に進む。
【００２９】
次に、ステップＳＴ５において、あらかじめ設定されたリトライ回数以内に再生アドレスでの再生が行われなかった場合（ステップＳＴ５；ＮＯ）について説明する。システム制御部２は、現在再生中の再生アドレスが再生不可情報に含まれているか否か判定を行う（ステップＳＴ８）。現在再生中の再生アドレスが再生不可情報に含まれていない場合（ステップＳＴ８；ＮＯ）、当該再生できなかった再生アドレスを保持し（ステップＳＴ９）、ステップＳＴ２１の処理に進む。
【００３０】
一方、現在再生中の再生アドレスが再生不可情報に含まれている場合（ステップＳＴ８；ＹＥＳ）、ステップＳＴ５で用いるリトライ回数を通常再生時よりも少ない回数に設定し（ステップＳＴ２２）、あらかじめ設定したアドレス幅だけスキップして次の再生アドレスを設定し（ステップＳＴ１０）、ステップＳＴ７の処理に進む。
このように、ステップＳＴ２２において、ステップＳＴ５の判定で用いるリトライ回数を通常再生時よりも少ない回数に設定することにより、通常再生時と比べて、再生不可情報に含まれた区間を再生する場合のリトライ回数を抑制し、リトライ処理を短時間で切り上げて、正常に再生できない領域から速やかに抜け出すように構成することができる。
【００３１】
以上のように、この実施の形態２によれば、システム制御部２は、音声／映像情報が正常に再生できなかった再生アドレスが再生不可情報として不揮発メモリ１０に記録された区間に含まれていた場合に、次回の判定処理の再生のリトライ回数を通常再生時よりも少ない回数に設定するように構成したので、正常に再生できない場合にリトライ処理を短時間で切り上げて、正常に再生できない領域から速やかに抜け出すことができる。
【００３２】
なお、上述した実施の形態２では、図３で示したステップＳＴ５の処理で設定されたリトライ回数以内に再生できたか否か判定を行い、当該ステップＳＴ５で設定するリトライ回数を制限する構成を示したが、リトライ回数に替えてリトライ時間（再試行時間）としてもよい。すなわち、ステップＳＴ５の処理において所定のリトライ時間内に再生できたか否かの判定を行い、当該判定に基づいてリトライ時間を制限する構成としてもよい。
【００３３】
実施の形態３．
再生不可情報に記録された正常に音声／映像情報が再生できなかった区間の再生可否判定時間を短縮する具体的な構成として、この実施の形態３では、ディスクの再生データを先読みして一時記憶しておくショックプルーフ機能を用いた構成を示す。例えば車載用のディスク再生装置では、振動などによりディスクの再生に失敗し、リトライで再生できるようになるまでに時間がかかる場合の対策として、ディスクの再生データを先読みしてバッファメモリに一時記憶しておくショックプルーフという機能を備えていることが多い。
【００３４】
図４は、この発明の実施の形態３によるディスク再生装置の構成を示すブロック図である。図１で示した実施の形態１のディスク再生装置１００にバッファメモリ１１を追加して設けている。なお、以下では、実施の形態１によるディスク再生装置１００の構成要素と同一または相当する部分には実施の形態１で使用した符号と同一の符号を付して説明を省略または簡略化する。
【００３５】
再生部４はディスクの再生データをあらかじめ設定したデータ量先読みし、再生信号処理部５が再生部４から入力された再生信号をバッファメモリ１１に一旦蓄積する。蓄積された再生信号は、その後再生位置に応じて音声信号が音声信号処理部６に出力され、映像信号が映像信号処理部７に出力される。
【００３６】
システム制御部２は、２回目以降のディスク再生において再生不可情報に示された区間において音声／映像情報が再生できない場合には、バッファメモリ１１に蓄積された再生信号を用いて再生を行う間に、正常に再生できない区間から抜け出して、正常に再生できる再生アドレスに到達するように、当該区間をスキップするためのアドレス幅を算出し、次の再生アドレスを設定する。システム制御部２が設定した次の再生アドレスにおける音声信号がバッファメモリ１１から音声信号処理部６に読み出され、映像信号がバッファメモリ１１からから映像信号処理部７に読み出される。音声信号処理部６および映像信号処理部７は、読み出された各信号をデコードし、音声信号出力部８および映像信号出力部９はデコードされた信号を出力する。
【００３７】
次に、実施の形態３のディスク再生装置１００´の動作について説明する。
図５は、実施の形態３によるディスク再生装置の動作を示すフローチャートである。なお、以下では実施の形態１に係るディスク再生装置１００と同一のステップには図２で使用した符号と同一の符号を付し、説明を省略または簡略化する。
【００３８】
システム制御部２は、バッファメモリ１１のデータ残量（蓄積残量）を取得し（ステップＳＴ３１）、取得したデータ残量を実際の再生時間ＴＢに換算する（ステップＳＴ３２）。次に、リトライ処理１回当たりに要する時間ＴＲを基に、バッファメモリ１１のデータがなくなるまでに、リトライ処理を実行可能な回数を示すＴＢ／ＴＲを算出する（ステップＳＴ３３）。再生できない区間の最後のアドレスＡＥと、現在の再生アドレスＡＰとの差分ＡＤを算出し（ステップＳＳＴ３４）、算出した差分ＡＤをリトライ処理実行可能回数ＴＢ／ＴＲで除してスキップするアドレス幅を算出し、算出したアドレス幅に現在の再生アドレスＡＰを加算して次の再生アドレスＡＮを算出する（ステップＳＴ３５）。その後、ステップＳＴ３５で算出した再生アドレスＡＮを次の再生アドレスに設定し（ステップＳＴ３６）、ステップＳＴ７の処理に進む。
【００３９】
以上のように、この実施の形態３によれば、再生部４が先読みした再生信号を一旦蓄積するバッファメモリ１１を備え、システム制御部２がバッファメモリ１１のデータ残量に基づいた再生時間を算出し、バッファメモリ１１のデータがなくなるまでにリトライ処理を実行可能な回数を用いて、スキップ動作のアドレス幅を算出して次の再生アドレスを設定するように構成したので、バッファメモリ１１に蓄積したデータの再生が終了する前に、再生位置を再生可能な領域に設定させることができ、バッファメモリ１１に再生するデータがなくなり、映像や音声の再生が停止してしまうのを回避することができる。
【００４０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４１】
１  入力部、２  システム制御部、３  ディスク制御部、４  再生部、５  再生信号処理部、６  音声信号処理部、７  映像信号処理部、８  音声信号出力部、９  映像信号出力部、１０  不揮発メモリ、１１  バッファメモリ、１００，１００´  ディスク再生装置。
【図１】
2014137835.tif 000003
【図２】
2014137835.tif 000004
【図３】
2014137835.tif 000005
【図４】
2014137835.tif 000006
【図５】
2014137835.tif 000007